(57)【要約】【課題】浴室内などの環境でも安全かつ簡便に電力供給を得ることができる防水テレビを提供する。【解決手段】水車５が水流６により回転すると、水車５の回転力がシャフト４により発電機２に伝達され、発電機２は伝達された回転力で発電を行い、電力を液晶テレビ受像機１に供給する。液晶テレビ受像機１は発電機２から供給された電力によってテレビ映像を映し出すことができる。従って、本実施形態の防水液晶テレビは、水車５の回転力から簡便に電力を得てテレビ映像を受像できるという効果を奏する。液晶テレビ受像機１及び発電機２は防水状態かつ絶縁状態で防水ケース３に収納されているから、本実施形態の防水液晶テレビは、浴室、水辺その他水の存在する環境で安全に使用することが可能である。【選択図】  図１
2006060440.tif 000002
【特許請求の範囲】
【請求項１】
防水ケースと、
液晶テレビ受像機と、
水流で回転する水車と、
前記水車の回転力で発電し、該発電で得た電力を前記液晶テレビ受像機に給電する発電機と、
を備え、
前記液晶テレビ受像機及び前記発電機は前記防水ケースに収納されている防水液晶テレビ。
【請求項２】
前記発電機と前記水車とを接続し前記回転力を伝達する回転シャフトをさらに備え、
前記防水ケースには前記シャフトを挿通しかつ防水処理が施されている孔部が設けられている請求項１に記載の防水液晶テレビ。
【請求項３】
前記防水ケースの側壁を介して前記水車及び前記発電機にそれぞれ設けられた対向する磁石セグメントにより前記回転力を前記発電機に非接触で伝達する回転運動伝達装置をさらに備える請求項１に記載の防水液晶テレビ。
【請求項４】
前記発電で得た電力を充電し、かつ該充電した電力を放電して前記液晶テレビ受像機に供給する充放電装置をさらに備える請求項１〜３のいずれかに記載の防水液晶テレビ。
【発明の詳細な説明】
【技術分野】
【０００１】
本発明は防水液晶テレビに係り、特に外部電源から電力を供給する必要のない防水液晶テレビに関する。
【背景技術】
【０００２】
従来、浴室などで各種電化製品を使用するための技術が様々開発されている。例えば特許文献１によると、浴室内に設置する電気機器に電力を供給するための浴室用電源装置は、外部電源に接続した１次コイルと、非導電性材料からなる隔壁と、該隔壁を挟んで１次コイルと対向配置した２次コイルとからなり、電磁誘導により発生した２次コイルでの誘導起電力を電気機器に供給する。
【特許文献１】特開平１０−１７４３１５号公報
【発明の開示】
【発明が解決しようとする課題】
【０００３】
ところで、入浴しながら浴室内でテレビを見たいというニーズに応えるには、浴室内にテレビを設置する必要がある。しかし、浴室では水を扱い、また湿度も高く、安全上電源を供給するコンセントを浴室内に設置することはできないため、浴室内のテレビにコンセントから電源を供給することはできない。テレビに充電可能なバッテリーや交換可能な電池を組み込み、これをもってテレビに電源供給を行うことも考えられるが、いちいち充電や電池交換を行う必要があり煩雑である。本発明はこのような問題点に鑑みてなされたもので、浴室内などの環境でも安全かつ簡便に電力供給を得ることができる防水テレビを提供することを目的とする。
【課題を解決するための手段】
【０００４】
上述の課題を解決するため、本発明の防水液晶テレビは、防水ケースと、液晶テレビ受像機と、水流で回転する水車と、水車の回転力で発電し、該発電で得た電力を液晶テレビ受像機に給電する発電機とを備え、液晶テレビ受像機及び発電機は防水ケースに収納されている。
【０００５】
本発明の防水液晶テレビでは、水車が水流により回転すると、発電機は水車の回転力で発電を行い、発電した電力を液晶テレビ受像機に供給する。液晶テレビ受像機は発電機から供給された電力によってテレビ映像を映し出すことができる。即ち、本発明の防水液晶テレビは、水車の回転力から簡便に電力を得てテレビ映像を受像できるという効果を奏する。液晶テレビ受像機及び発電機は防水状態で防水ケースに収納されているから、浴室、水辺その他水の存在する環境で安全に使用することが可能である。
【０００６】
本発明の防水液晶テレビは、発電機と水車とを接続し回転力を伝達する回転シャフトをさらに備え、防水ケースにはシャフトを挿通しかつ防水処理が施されている孔部が設けられていてもよい。この場合、水車が水流により回転すると、水車の回転力がシャフトにより発電機に伝達され、発電機は伝達された回転力で発電を行い、電力を液晶テレビ受像機に供給することになる。
【０００７】
また、本発明の防水液晶テレビは、防水ケースの側壁を介して水車及び発電機にそれぞれ設けられた対向する磁石セグメントにより回転力を発電機に非接触で伝達する回転運動伝達装置をさらに備えていてもよい。この場合、水車が水流により回転すると、水車の回転力が磁石セグメントにより発電機に伝達され、発電機は伝達された回転力で発電を行い、電力を液晶テレビに供給することになる。この防水液晶テレビでは、シャフトを挿通する孔部を防水ケースに設ける必要がないため、防水性がさらに向上し好ましい。
【０００８】
さらに、本発明の防水液晶テレビは、発電で得た電力を充電し、かつ該充電した電力を放電して液晶テレビ受像機に供給する充放電装置をさらに備えていてもよい。水流が得られる環境で充放電器に電力を蓄えておけば、水流が得られない環境でも充放電器から放電して液晶テレビ受像機に電力を供給することで防水液晶テレビを使用することが可能となる。
【発明の効果】
【０００９】
本発明の防水液晶テレビは、水車の回転力から簡便に電力を得てテレビ映像を受像できるという効果を奏する。液晶テレビ受像機及び発電機は防水状態で防水ケースに収納されているから、浴室、水辺その他水の存在する環境で安全に使用することが可能である。
【発明を実施するための最良の形態】
【００１０】
以下、添付した図面を参照し本発明の好ましい実施形態を説明する。
【００１１】
＜第１実施形態＞
図１は、本発明の好ましい実施形態に係る防水液晶テレビの概略構成図である。この防水液晶テレビは、プラスチックなどで形成された防水ケース３と、テレビ映像電波を受信して省電力のＬＣＤモニタにテレビ映像を映し出す液晶テレビ受像機１と、水流６で回転する水車５と、水車５の回転力で発電し、該発電で得た電力を液晶テレビ受像機１に供給する発電機２とを備えている。液晶テレビ受像機１及び発電機２は防水ケース３に防水状態で収納されており、液晶テレビ受像機１及び発電機２と防水ケース３の外部とは電気的に絶縁されている。
【００１２】
水車５は、給水部７から放出された水流６により回転する。給水部７は一定量の水を蓄える貯水部７ａと貯水部７ａに蓄えられた水を略鉛直方向に落下放出させて水流６を発生させる放水部７ｂとからなる。
【００１３】
防水ケース３の側壁３ａには、シャフト４を挿通する孔部３ｂが設けられている。シャフト４は、発電機２と水車５とを接続し、水流６で回転する水車５の回転力を発電機２に伝達する。シャフト４を孔部３ｂに挿通した際にシャフト４と孔部３ｂとの間に生じる間隙は、パッキンなどで防水処理されており、防水処理により間隙から水・湿気が防水ケース３の内部に侵入するのを防いでいる。
【００１４】
発電機２は、シャフト４の伝達した回転力で発電を行い、発電した電力を液晶テレビ受像機１に供給する。液晶テレビ受像機１の消費電力は、シャフト４の伝達した回転力で発電した電力で賄える程度である。
【００１５】
次に、本防水液晶テレビの作用を説明する。水車５が水流６により回転すると、水車５の回転力がシャフト４により発電機２に伝達され、発電機２は伝達された回転力で発電を行い、電力を液晶テレビ受像機１に供給する。液晶テレビ受像機１は発電機２から供給された電力によってテレビ映像を映し出すことができる。
【００１６】
従って、本実施形態の防水液晶テレビは、水車５の回転力から簡便に電力を得てテレビ映像を受像できるという効果を奏する。液晶テレビ受像機１及び発電機２は防水状態かつ絶縁状態で防水ケース３に収納されているから、本実施形態の防水液晶テレビは、浴室、水辺その他水の存在する環境で安全に使用することが可能である。
【００１７】
水車５に与える水流６の供給源は給水部７に限る必要はない。例えば、図２に示すように、蛇口１０から放出される水流６であってもよい。また、図示しないが、水車５を川などの自然水流に置いて水車５を回転させてもよい。
【００１８】
また、発電機２の発電電力を充電できるようにしてもよい。図３に示すように、ニッケル電池及び充放電回路などからなる充放電器９を防水ケース３内に設け、発電機２の発電電力を充放電器９に供給して充電する。かつ、充放電器９は、充電した電力を放電して液晶テレビ受像機１に供給する。液晶テレビ受像機１の駆動に必要のない余剰電力を充放電器９に供給して充電してもよい。水流が得られる環境で充放電器９に電力を蓄えておけば、水流６が得られない環境でも充放電器９から放電して液晶テレビ受像機１に電力を供給することで防水液晶テレビを使用することが可能となる。
【００１９】
＜第２実施形態＞
図４は、本発明の好ましい他の実施形態に係る防水液晶テレビの概略構成図である。この防水液晶テレビは、第１実施形態と異なり、発電機２と水車５とを接続するシャフト４を有しておらず、防水ケース３の側壁３ａにはシャフト４を挿通する孔部３ｂも設けられていない。その代わり、発電機２及び水車５には、防水ケース３の側壁３ａを介して対向する磁石セグメント８ａ、８ｂがそれぞれ設けられている。磁石セグメント８ａ、８ｂは、磁力によって水車５の回転力を発電機２に非接触で伝達する回転運動伝達装置８を構成する。その他の箇所の構成は第１実施形態と同様であるので説明は省略する。
【００２０】
以上の構成を備えた防水液晶テレビでは、水車５が水流６により回転すると、水車５の回転力が磁石セグメント８ａ、８ｂにより発電機２に伝達され、発電機２は伝達された回転力で発電を行い、電力を液晶テレビ１に供給する。液晶テレビは発電機２から供給された電力によってテレビ映像を映し出すことができる。本実施形態の防水液晶テレビも、水車５の回転力から簡便に得られた電力でテレビ映像を受像できる。また、本実施形態の防水液晶テレビは、第１実施形態と異なり、シャフト４を挿通する孔部３ｂを設ける必要がないため、防水性がさらに向上し好ましい。
【００２１】
なお、図５に示すように、第１実施形態と同様の充放電器９を防水ケース３内に設け、発電機２の発電電力を充電できるようにしてもよい。
【図面の簡単な説明】
【００２２】
【図１】第１実施形態に係る防水液晶テレビの概略構成図
【図２】防水液晶テレビに水流を供給する一例を示す図
【図３】第１実施形態に係る充放電器を備えた防水液晶テレビの概略構成図
【図４】第２実施形態に係る防水液晶テレビの概略構成図
【図５】第２実施形態に係る充放電器を備えた防水液晶テレビの概略構成図
【符号の説明】
【００２３】
１：液晶テレビ受像機、２：発電機、３：防水ケース、４：シャフト、５：水車、８：回転運動伝達装置、９：充放電器
【図１】
2006060440.tif 000003
【図２】
2006060440.tif 000004
【図３】
2006060440.tif 000005
【図４】
2006060440.tif 000006
【図５】
2006060440.tif 000007